(57)【特許請求の範囲】
【請求項１】
信号端子間を仕切る複数のリブ部が形成されたメモリカードを挿入するための挿入口が形成された外装部と、
前記挿入口から挿入された前記メモリカードが装着できるカードコネクタを備えた基板と、
前記カードコネクタと対向するように前記基板を保持する基板保持部材と、を有し、
前記複数のリブ部は、信号端子側の端部まで延びたリブのうち、切欠きがある側の最外リブである第１のリブおよび前記切欠きがある側とは反対側の最外リブである第２のリブを備え、
前記基板保持部材は、電池が収納される電池収納部が形成される部材であって、前記メモリカードが前記挿入口に挿入され、前記カードコネクタに装着される際、少なくとも前記第１および第２のリブと摺動し、前記メモリカードを前記カードコネクタに導くリブ形状のガイド部、および、前記ガイド部が形成される部分の裏側に、前記電池収納部に前記電池を収納する際に前記電池が摺動するレール部が形成されることを特徴とする電子機器。
【請求項２】
前記ガイド部の面幅は、前記第１および第２のリブの面幅よりも大きいことを特徴とする請求項１に記載の電子機器。
【請求項３】
前記ガイド部は、前記メモリカードの挿入方向に沿って、厚みが増すテーパ状のリブであることを特徴とする請求項１または２に記載の電子機器。
【請求項４】
前記カードコネクタは、前記基板と平行であり、前記メモリカードの信号端子と接続する対向板部を備え、
前記ガイド部は、前記メモリカードの厚み方向において、前記対向板部と重なることを特徴とする請求項３に記載の電子機器。
【発明の詳細な説明】
【技術分野】
【０００１】
本発明は、例えばデジタル一眼レフカメラ等の電子機器に関し、メモリカードの挿抜構造を備えた電子機器に関する。
【背景技術】
【０００２】
従来、記録媒体であるメモリカードの挿抜構造を備え、装着されたメモリカードに対してデータを読み書き等する電子機器が知られている。例えば、固体撮像素子を有するデジタル一眼レフカメラのような電子機器においては、メモリカードを装着する装着部として、カードコネクタが設けられる。カードコネクタは、カメラの側面や底面あるいは背面に配置されることが多く、カードコネクタの位置に合わせてカードコネクタを保護する外装カバーに設けられた必要最低限の開口部によりメモリカードの装着が可能となる。
【０００３】
特許文献１では、メモリカードを底部壁および一対の側壁に設けられたガイド部によりガイドするカードコネクタが開示されている。
【先行技術文献】
【特許文献】
【０００４】
【特許文献１】特開２０００−２０７５０３号公報
【発明の概要】
【発明が解決しようとする課題】
【０００５】
しかしながら、特許文献１は、カードコネクタに関する発明であり、外装カバーの開口部からカードコネクタまでのメモリカードのガイドに関しては考慮されていない。
【０００６】
電子機器に備えられたカードコネクタは、カードコネクタの金属部分にユーザが接触してしまうことを防止するため、外装カバーの開口部から少し離れたところに配置される。したがって、特許文献１に開示された従来技術を電子機器に用いた場合、カードコネクタがユーザから見えにくい位置に配置されてしまう。そのため、メモリカードは斜めに挿入されやすく、カードコネクタの端部に衝突することもある。また、メモリカードが誤った位置に挿入されて、メモリカードが破損するおそれもある。
【０００７】
そこで、これらの不具合の発生を抑制するため、開口部とカードコネクタとの間にガイド部材を取り付けた場合、ガイド部材が別途必要となり、コストがかかる。また、カードコネクタが実装される基板を長く形成し、メモリカードの挿入ガイドとして使用しているものもある。しかし、ガイドとして用いる部分には電気部品の実装ができず、高価な基板が大きくなるため、コストが高くなる。
【０００８】
そこで、本発明は、コストアップを招くことなく、確実なメモリカードの装着操作を可能とする電子機器の提供を目的とする。
【課題を解決するための手段】
【０００９】
本発明の一側面としての電子機器は、信号端子間を仕切る複数のリブ部が形成されたメモリカードを挿入するための挿入口が形成された外装部と、前記挿入口から挿入された前記メモリカードが装着できるカードコネクタを備えた基板と、前記カードコネクタと対向するように前記基板を保持する基板保持部材と、を有し、前記複数のリブ部は、信号端子側の端部まで延びたリブのうち、切欠きがある側の最外リブである第１のリブおよび前記切欠きがある側とは反対側の最外リブである第２のリブを備え、前記基板保持部材は、電池が収納される電池収納部が形成される部材であって、前記メモリカードが前記挿入口に挿入され、前記カードコネクタに装着される際、少なくとも前記第１および第２のリブと摺動し、前記メモリカードを前記カードコネクタに導くリブ形状のガイド部、および、前記ガイド部が形成される部分の裏側に、前記電池収納部に前記電池を収納する際に前記電池が摺動するレール部が形成されることを特徴とする。
【発明の効果】
【００１０】
本発明の電子機器によれば、コストアップを招くことなく、確実なメモリカードの装着操作を可能とする。
【図面の簡単な説明】
【００１１】
【図１】本発明の電子機器の実施形態の一例であるデジタル一眼レフカメラの斜視図である。
【図２】保護カバーを開けた状態のデジタル一眼レフカメラの部分側面図である。
【図３】メモリカードの（ａ）正面図と（ｂ）背面図である。
【図４】ハード基板の部分斜視図である。
【図５】ハード基板が電池室に取り付けられた状態を示す部分斜視図である。
【図６】図２のＡ−Ａ線に沿う断面図である。
【図７】図２のＢ−Ｂ線に沿う断面図である。
【発明を実施するための形態】
【００１２】
以下に、本発明の好ましい実施の形態を、添付の図面に基づいて詳細に説明する。
【００１３】
図１は、本発明の電子機器の実施形態の一例であるデジタル一眼レフカメラ（以下「カメラ」という）１の斜視図である。カメラ１は、片面に信号端子を有し、信号端子間の仕切りのリブを持つメモリカードが装着される構造を備えている。
【００１４】
カメラ１は、外装部材の一部として、側面カバー２を有し、側面カバー２に対してメモリカード用の保護カバー３が開閉可能に取り付けられている。被写体側とは反対側である操作者側には液晶画面４が設けられている。
【００１５】
図２は、保護カバー３を開けた状態のカメラ１の部分側面図である。カメラ１には、装着部であるカードコネクタ５５が設けられている。カードコネクタ５５は、メモリカード５を挿抜自在に装着可能である。なお、メモリカード５の挿入方向は、紙面奥側である。
【００１６】
図３（ａ）はメモリカード５の正面図、図３（ｂ）はメモリカード５の背面図である。メモリカード５の背面には８つの信号端子５１が設けられ、その間と両端に凸形状の仕切りのリブ部５２が９つ設けられている。また、メモリカード５は、信号端子側の一端が切り欠かれ、切欠き部５３を有している。第１のリブ５２１は信号端子側の端部まで延びたリブ部５２のうち、切欠きがある側の最外リブであり、第２のリブ５２２は切欠きがある側とは反対側の最外リブである。
【００１７】
なお、本実施の形態では、メモリカード５としてＳＤカード（登録商標）を用いているが、片面に信号端子を有し、信号端子間の仕切りのリブを持つ構造を備えるものであればよく、例えばＳＤＨＣメモリカード（登録商標）などを用いてもよい。
【００１８】
図４は、ハード基板６の部分斜視図である。ハード基板６には、カードコネクタ５５が実装されている。対向板部５５１は、カードコネクタ５５の構成部品であり、ハード基板６と平行である。また、対向板部５５１には、メモリカード５の信号端子５１と接続される接触端子が設けられている。
【００１９】
図５は、ハード基板６が、電池装着部７０に取り付けられた状態を示す部分斜視図である。本実施形態において、電池装着部７０は、ハード基板６を保持する基板保持部材として機能する。カードコネクタ５５は、ハード基板６に対して、カメラ１の前面（被写体側）に取り付けられて構成される。本実施の形態においては、ハード基板６は、カメラ１の電池装着部７０にビス６１で取り付けられ保持されているが、それ以外の部材に取り付けて保持しても構わない。
【００２０】
図６は、図２のＡ−Ａ線に沿う断面図であり、メモリカード５をカードコネクタ５５に装着するときの状態を示している。ユーザは、ガイド部７１と側面カバー２で形成されたメモリカード挿入口２１からメモリカード５を挿入する。ガイド部７１は、カードコネクタ５５に近接して設けられたリブであり、メモリカード５をカードコネクタ５５の内部にガイドする。なお、Ｘ方向がメモリカード５の挿入方向となっている。
【００２１】
ガイド部７１は、メモリカード５の挿入方向に沿って、メモリカード挿入口２１からメモリカード５のＺ方向（メモリカード５の挿入方向と直交する方向）に厚みが増していくテーパ状のリブ形状となっている。そのため、メモリカード挿入口２１はカードコネクタ５５の開口部よりも大きいが、ガイド部７１はカードコネクタ５５の近傍において対向板部５５１とＺ方向で重なっている。
【００２２】
また、本実施の形態では、ガイド部７１は、電池収納部が形成される部材の電池装着部７０に設けられている。電池装着部７０とカードコネクタ５５の間にはハード基板６が配置されるため、メモリカード挿入口２１付近の電池装着部７０は、位置関係上、厚みが増す。ガイド部７１は、射出成形できるような重合体で構成するのが好ましいが、厚みが増すと成形時の冷却に時間がかかるだけではなく、ヒケが生じ、部品不良が発生する。ガイド部７１は、紙面と垂直方向に挿入される電池７の挿入レール７２の裏側に形成されるため、電池装着部７０の内側からは肉抜きすることができない。そのため、図５に示すように、カードコネクタ５５側から肉抜き７５を追加する必要がある。本実施形態では、挿入レール７２が電池７を電池収納部に収納する際に、電池７が摺動するレール部として機能する。
【００２３】
図７は、図２のＢ−Ｂ線に沿う断面図であり、メモリカード５とガイド部７１との位置関係を示している。なお、Ｘ方向がメモリカード５の挿入方向となっている。
【００２４】
本実施の形態では、図７に示すように、ガイド部７１は、少なくとも第１および第２のリブ５２１、５２２に対向する位置に設けられている。そのため、メモリカード５をカードコネクタ５５に装着する際、ガイド部７１が第１および第２のリブ５２１、５２２と確実に摺動してメモリカード５をカードコネクタ５５にガイドする。すなわち、メモリカード５を挿入する際に、メモリカード５のリブがいずれのガイド部７１にも当接しないということはない。
【００２５】
また、ガイド部７１は、メモリカード５をカードコネクタ５５に挿入しているときメモリカード５がＹ方向（メモリカード５の挿入方向と直交する方向）に動いても、第１および第２のリブ５２１、５２２と当接するような面幅で設計されている。そのため、メモリカード５のリブはいずれのガイド部７１にも当接しないということはなく、カードコネクタ５５に確実な装着が可能となる。
【００２６】
なお、ガイド部７１は、少なくとも第１および第２のリブ５２１、５２２と対向する位置に設けられていればよく、さらに複数設けてもよい。
【００２７】
また、本発明のメモリカードのガイド構造が適用される電子機器は、デジタル一眼レフカメラに限らず、カードコネクタが設けられる各種の電子機器に応用が可能である。
【００２８】
以上、本発明の好ましい実施形態について説明したが、本発明はこれらの実施形態に限定されず、その要旨の範囲内で種々の変形及び変更が可能である。
【符号の説明】
【００２９】
２      側面カバー
２１    メモリカード挿入口
５      メモリカード
５２    仕切りのリブ部
５２１  第１のリブ
５２２  第２のリブ
５５    カードコネクタ
６      ハード基板
７０    電池装着部
７１    ガイド部
【図１】
0005984436.tif 000002
【図３】
0005984436.tif 000003
【図４】
0005984436.tif 000004
【図５】
0005984436.tif 000005
【図６】
0005984436.tif 000006
【図７】
0005984436.tif 000007
【図２】
0005984436.tif 000008